(57)【特許請求の範囲】
【請求項１】
目地部を介して設けられた左右の建物の、一方の建物の目地部側の端部外壁面に形成された反目地部側が傾斜面の目地カバー支持凹部と、この目地カバー支持凹部に先端部が支持され、後端部が前記他方の建物の目地部側の端部寄りの外壁面に、地震で目地部が狭くなると先端部が回動し、かつ前後方向に移動できるように取付けられた目地部を覆う目地カバーと、この目地カバーを通常時には後方へ付勢させた状態に支持させる後方付勢装置と、前記目地カバーの背面に沿うように目地部側の一方の建物の外壁面と他方の建物の外壁面に両端部が取付けられた伸縮リンクと、前記目地カバーの先端部を常時前記目地カバー支持凹部に付勢する付勢機構と、地震時に目地部が狭くなる揺れ動きの場合には、前記後方付勢機構の付勢力よりも大きな付勢力で前記目地カバーの後方を前方へ押し出し、地震の揺れ動きが停止すると元の状態へ自動的に戻すことができる前方付勢装置とが設けられていることを特徴とする壁面用目地装置。
【請求項２】
伸縮リンクは両端部の取付け高さ位置が異なり、かつパイプ式のものが使用されていることを特徴とする請求項１記載の壁面用目地装置。
【請求項３】
目地カバーは目地部を覆う目地カバー本体と、この目地カバー本体の下部側に、該目地カバー本体の先端部より外方へ突出するように取付けられた安全パネルと、この安全パネルを常時外方へ突出するように付勢する付勢機構とで構成されていることを特徴とする請求項１、２いずれかに記載の壁面用目地装置。
【請求項４】
後方付勢装置は一方の建物の目地部側の外壁面に固定された取付け金具と、この取付け金具に水平方向にスライド移動可能に取付けられた目地カバーの後端部に取付けられたスライド軸と、このスライド軸を後方へ付勢する重り、あるいは引張りスプリングとで構成され、前方付勢機構は他方の建物の目地部側の外壁面に一端部が固定され、他端部が一方の建物の目地部側の外壁面に取付けられた第１のアイボルトあるいは第１の滑車を通過させて下方へ突出して、後方付勢機構の付勢力よりも大きな付勢力を付与できる重りが取付けられた第１のワイヤーと、この第１のワイヤーの第１のアイボルトあるいは第１の滑車を通過した部位に一端部が固定され、他端部は一方の建物の目地部側の外壁面に取付けられた第２のアイボルトあるいは第２の滑車を通過し、目地カバーの後端部を前方へ押し出せるように、前記スライド軸に取付けられた第２のワイヤーとで構成されていることを特徴とする請求項１ないし３のいずれかに記載の壁面用目地装置。
【発明の詳細な説明】
【技術分野】
【０００１】
本発明は目地部を介して設けられた一方の建物と他方の建物との壁面間の目地部を覆う壁面用目地装置に関する。
【背景技術】
【０００２】
従来、壁面用目地装置として、目地部が狭くなるように左右の建物が揺れ動いた場合、目地部を覆っている目地カバーの先端部を、一方の建物の目地部側の端部外壁面によって内側へ突出させて、その揺れ動きを吸収するように構成されている。
【０００３】
このように構成された壁面用目地装置は、地震が頻繁に起こるものではないとともに、地震が起きても左右の建物が最大限に振れることはほとんどないため、目地カバーの先端部が内側へ突出することはそれほど問題にされていなかったが、今回の東日本大震災のような大きな地震では、目地カバーの先端部が内側へ突出して危険になるということが問題にされている。
【先行技術文献】
【特許文献】
【０００４】
【特許文献１】特許第３６９１７７７号公報
【発明の概要】
【発明が解決しようとする課題】
【０００５】
本発明は以上のような従来の欠点に鑑み、目地部が狭くなるような揺れ動きでも目地カバーの先端部が内側へ突出するのを効率よく阻止し、建物の外壁面に沿うようにして安全に使用することができ、かつ目地部が狭くなると自動的に目地カバーの後部を前方へ突出させ、建物の外壁面に沿うようにできる壁面用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の、一方の建物の目地部側の端部外壁面に形成された反目地部側が傾斜面の目地カバー支持凹部と、この目地カバー支持凹部に先端部が支持され、後端部が前記他方の建物の目地部側の端部寄りの外壁面に、地震で目地部が狭くなると先端部が回動し、かつ前後方向に移動できるように取付けられた目地部を覆う目地カバーと、この目地カバーを通常時には後方へ付勢させた状態に支持させる後方付勢装置と、前記目地カバーの背面に沿うように目地部側の一方の建物の外壁面と他方の建物の外壁面に両端部が取付けられた伸縮リンクと、前記目地カバーの先端部を常時前記目地カバー支持凹部に付勢する付勢機構と、地震時に目地部が狭くなる揺れ動きの場合には、前記後方付勢機構の付勢力よりも大きな付勢力で前記目地カバーの後方を前方へ押し出し、地震の揺れ動きが停止すると元の状態へ自動的に戻すことができる前方付勢装置とで壁面用目地装置を構成している。
【発明の効果】
【０００８】
以上の説明から明らかなように、本発明にあっては次に列挙する効果が得られる。
（１）請求項１によって、地震で目地部が狭くなると、後方付勢機構の付勢力よりも大きな付勢力で目地カバーの後方を前方付勢装置によって前方へ移動させるため、目地カバーの先端部が突出することなく、安全に使用することができる。
（２）前記（１）によって、目地カバーとして先端部が目地カバー支持凹部によって、前方へ押し出されるものを使用することができる。
したがって、目地カバーを十分な強度を有する浅皿形状のものが使用できる。
（３）請求項２も前記（１）、（２）と同様な効果が得られるとともに、パイプ式の伸縮リンクの両端部の取付け高さ位置を異ならせているので、該伸縮リンクが収縮した場合に、伸縮リンクの一番太いリンク部材の直径分だけの寸法に設定することができる。
【０００９】
したがって、左右の建物間の目地部の寸法よりも、伸縮リンクの一番太いリンク部材の直径分だけ小さい寸法の揺れ動きを吸収することができる。
（４）請求項３も前記（１）、（２）と同様な効果が得られるとともに、目地部が広くなるように地震で左右の建物が揺れ動いた場合に、安全パネルが目地カバー本体より突出し、一方の建物の外壁面と他方の建物の外壁面との間に隙間が生じるのを確実に防止でき、安全に使用することができる。
（５）請求項４も前記（１）、（２）と同様な効果が得られるとともに、後方付勢装置、前方付勢機構の構造が簡単で、安価に製造することができる。
【図面の簡単な説明】
【００１０】
【図１】本発明を実施するための第１の形態の正面図。
【図２】図１の２−２線に沿う断面図。
【図３】本発明を実施するための第１の形態の背面図。
【図４】図１の４−４線に沿う断面図。
【図５】図１の５−５線に沿う断面図。
【図６】本発明を実施するための第１の形態の目地部が広くなる動作説明図。
【図７】本発明を実施するための第１の形態の目地部が狭くなる動作初めの動作説明図。
【図８】本発明を実施するための第１の形態の前方付勢装置のワイヤーの動作説明図。
【図９】本発明を実施するための第１の形態の前方付勢装置の目地カバー押し上げワイヤーの動作説明図。
【図１０】本発明を実施するための第１の形態の目地カバーの後部が前方へ移動した状態の説明図。
【図１１】本発明を実施するための第２の形態の正面図。
【図１２】図１１の１２−１２線に沿う断面図。
【図１３】本発明を実施するための第２の形態の目地カバーの説明図。
【図１４】本発明を実施するための第３の形態の正面図。
【図１５】図１４の１５−１５線に沿う断面図。
【図１６】本発明を実施するための第３の形態の目地カバーの動作説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた左右の建物３、３の外壁面３ａ、３ａ間の目地部２を覆う本発明の壁面用目地装置で、この壁面用目地装置１は前記左右の建物３、３の一方の建物３の目地部側の端部外壁面３ａに形成された反目地部側が傾斜面４の目地カバー支持凹部５と、この目地カバー支持凹部５に先端部が支持され、後端部が前記左右の建物３、３の他方の建物３の目地部側の端部寄りの外壁面３ａが、地震で目地部２が狭くなると先端部が回動し、かつ前後方向に移動できるように取付けられた目地部２を覆う目地カバー６と、この目地カバー６を通常時には後方へ付勢させた状態に支持させる後方付勢装置７と、前記目地カバー６の背面に沿うように目地部側の一方の建物３の外壁面３ａ、この外壁面３ａとは高さ位置が異なる他方の建物３の外壁面３ａに両端部が継手金具８、８で取付けられたパイプ式の伸縮リンク９、９と、前記目地カバー６の先端部を常時前記目地カバー支持凹部５に付勢する付勢機構１０、１０と、地震時に目地部２が狭くなる揺れ動きの場合には前記後方付勢機構７の付勢力よりも大きな付勢力で前記目地カバー６の後方を前方へ押し出し、地震の揺れ動きが停止すると元の状態へ自動的に戻すことができる前方付勢装置１１とで構成されている。
【００１３】
前記目地カバー６は長方形枠状のフレーム１２と、このフレーム１２に固定された先端部が前記目地カバー支持凹部５の傾斜面４と面接触できる傾斜面１３に形成された浅皿状のカバー体１４と、このカバー体１４の開口部１４ａを覆うカバー１５とで構成されている。
【００１４】
前記後方付勢装置７は前記他方の建物３の目地部側の外壁面３ａに所定間隔でほぼ水平状態で固定された複数個、本発明の実施の形態では２個のガイド筒１６、１６と、このガイド筒１６、１６にスライド移動可能に取付けられた一端部が前記目地カバー６の後端部に固定され、かつ他端部が該目地カバー６の厚さ寸法分以上、前記ガイド筒１６、１６の後端部より外方へ突出するスライド軸１７、１７と、このスライド軸１７、１７を後方、すなわち前記目地カバー６を前記ガイド筒１６、１６の先端部に当接するように付勢する一端部がスライド軸１７、１７に取付けられ、他端部が他方の建物３の目地部側の外壁面３ａに取付けられた付勢スプリング１８、１８とで構成されている。
【００１５】
前記伸縮リンク９、９は複数個のパイプ材を伸縮することができるカメラの三脚のようなパイプ式の伸縮リンク本体１９、１９と、この伸縮リンク本体１９、１９の両端部に前後および上下方向に回動できるように、一方の建物３の目地部側の外壁面３ａと他方の建物３の目地部側の外壁面３ａに複数本のビス２０で取付けられる継手金具８、８とで構成されている。
【００１６】
前記伸縮リンク９、９の継手金具８、８は前記伸縮リンク本体１９、１９の端部に形成された球体２１、２１と、この球体２１、２１を前後および上下方向に回動でき、かつ抜け脱しないように覆う２分割され外壁面３ａ、３ａに複数本のビス２０で固定される球体支持凹部２２、２２を有する取付け金具２３、２３とで構成されている。
【００１７】
なお、伸縮リンク９、９の継手金具８、８は、前記実施例のものに限らず、伸縮リンク本体１９、１９を前後および上下方向に回動できるように支持する十字継手等の継手構造のものを用いてもよい。
【００１８】
前記付勢機構１０、１０は一端部が前記目地カバー６の中央部寄りの背面に取付けられ、他端部が前記他方の建物３の目地部側の外壁面３ａに取付けられた付勢スプリング２４、２４で構成されている。
【００１９】
前記前方付勢装置１１は一端部が前記目地カバー６の背面部位の前記他方の建物３の目地部側の外壁面３ａに固定されたアイボルト２５に取付けられ、他端部が該アイボルト２５と対応する部位の前記一方の建物３の目地部側の外壁面３ａに固定された第２のアイボルト２６を通過して、下方へ吊り下げられたワイヤー２７と、このワイヤー２７の他端部に取付けられた、前記後方付勢装置７の付勢スプリング１８、１８の付勢力よりも大きな付勢力となる重り２８と、この重り２８と前記第２のアイボルト２６との中間位置の前記ワイヤー２７に一端部が固定され、他端部が前記第２のアイボルト２６を通過するとともに、前記ガイド筒１６、１６の先端部近傍の外壁面３ａに固定されたガイドアイボルト２９、２９を通過して、前記スライド軸１７、１７の後端部に取付けられた目地カバー押し上げワイヤー３０、３０とで構成されている。
【００２０】
上記構成の壁面用目地装置１は、通常時には前方付勢装置１１のワイヤー２７に加わる重り２８の荷重は第２のアイボルト２６を通過してアイボルト２５に取付けられているため、目地カバー押し上げワイヤー３０、３０には加わることなく、目地部２を目地カバー６で覆った状態となっている。
【００２１】
地震で目地部２が広くなるように左右の建物３、３が揺れ動くと、図６に示すように前方付勢装置１１のアイボルト２５と第２のアイボルト２６との間隔が広くなり、重り２８が取付けられているワイヤー２７の吊り下げ状態のワイヤー部位は第２のアイボルト２６方向にスライド移動するとともに、目地カバー押し上げワイヤー３０、３０の一端部も上方へ移動して、スライド軸１７、１７を移動させるような力を加えることがない。
【００２２】
地震で目地部２が狭くなるように左右の建物３、３が揺れ動くと、目地カバー６の先端部は目地カバー支持凹部５の傾斜面４に沿って、図７に示すように前方へ押し出されるとともに、図８に示すように前方付勢装置１１のアイボルト２５と第２のアイボルト２６との間隔が狭くなり、ワイヤー２７を介して重り２８が下方へ移動する。
【００２３】
この重り２８の下方への移動によって、図９に示すように目地カバー押し上げワイヤー３０、３０の一端部も下方へ移動し、第２のアイボルト２６を通過した他端部の目地カバー押し上げワイヤー３０、３０は上方へ移動し、ガイドアイボルト２９、２９を介してスライド軸１７、１７を後方付勢装置７の付勢力に抗して前方へ移動させる。
【００２４】
このスライド軸１７、１７の前方への移動によって、目地カバー６の後端部は図１０に示すように前方へ移動し、一方の建物３の外壁面３ａと目地カバー６とが平行状態となり、目地カバー６の先端部の突出状態を解消することができる。
【００２５】
なお、付勢機構１０によって、目地カバー６の先端部は一方の建物３の外壁面３ａ、目地カバー支持凹部５や伸縮リンク９、９に当接するように付勢されているため、突出状態になるのを効率よく阻止できる。
【００２６】
地震の揺れ動きが停止すると元の状態に自動的に戻り、目地部２を目地カバー６で覆った状態となる。
【００２７】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２８】
図１１ないし図１３に示す本発明を実施するための第２の形態において、前記本発明を実施するための第１の形態と主に異なる点は、目地部２が広くなるように左右の建物３、３が揺れ動いた場合に、目地部２に隙間が生じて危険になるのを阻止できるように下部位置より突出して先端部が目地カバー支持凹部５に支持されるように付勢機構としての付勢スプリング３１で付勢された安全パネル３２を備える目地カバー６Ａを用いるとともに、パンタグラフ形状の伸縮リンク９Ａ、９Ａを用いた点で、このような目地カバー６Ａと伸縮リンク９Ａ、９Ａを用いて構成した壁面用目地装置１Ａにしても、前記本発明を実施するための第１の形態と同様な作用効果が得られる。
【００２９】
図１４ないし図１６に示す本発明を実施するための第３の形態において、前記本発明を実施するための第１の形態と主に異なる点は、目地カバー６の後端部を後方付勢装置を兼用する電磁ソレノイド３３、３３の駆動軸３４、３４で支持するとともに、地震で目地部２が狭くなるように左右の建物３、３が揺れ動くと、ワイヤー２７に取付けられているガイド部材３５で案内される重り２８が下降するので、この下降した重り２８の位置を検出する検出センサー３６で、前記電磁ソレノイド３３、３３に電流を供給して駆動軸３４、３４を突出させることができる前方付勢装置１１Ａを用いた点で、このように構成した壁面用目地装置１Ｂにしても、前記本発明を実施するための第１の形態と同様な作用効果が得られる。
【００３０】
なお、前記本発明を実施するための形態で後方付勢装置７、付勢機構１０で付勢スプリングを用いるものについて説明したが、本発明はこれに限らず、付勢スプリングに代えて重りを用いても同様な作用効果が得られる。
【産業上の利用可能性】
【００３１】
本発明は目地部を介して設けられた左右の建物の外壁間の目地部を覆う壁面用目地装置を製造する産業で利用される。
【符号の説明】
【００３２】
１、１Ａ、１Ｂ：壁面用目地装置、
２：目地部、        ３：建物、
４：傾斜面、          ５：目地カバー支持凹部、  
６、６Ａ：目地カバー、    ７：後方付勢装置、
８：継手金具、      ９、９Ａ：伸縮リンク、
１０：付勢機構、      １１、１１Ａ：前方付勢装置、
１２：フレーム、      １３：傾斜面、
１４：カバー体、      １５：カバー、
１６：ガイド筒、      １７：スライド軸、
１８：付勢スプリング、    １９：伸縮リンク本体、
２０：ビス、        ２１：球体、
２２：球体支持凹部、    ２３：取付け金具、
２４：付勢スプリング、    ２５：アイボルト、
２６：第２のアイボルト、    ２７：ワイヤー、
２８：重り、        ２９：ガイドアイボルト、
３０：目地カバー押し上げワイヤー、
３１：付勢スプリング、    ３２：安全パネル、
３３：電磁ソレノイド、    ３４：駆動軸、
３５：ガイド部材、      ３６：検出センサー。
【図１】
0005508379.tif 000002
【図２】
0005508379.tif 000003
【図３】
0005508379.tif 000004
【図４】
0005508379.tif 000005
【図５】
0005508379.tif 000006
【図６】
0005508379.tif 000007
【図７】
0005508379.tif 000008
【図８】
0005508379.tif 000009
【図９】
0005508379.tif 000010
【図１０】
0005508379.tif 000011
【図１１】
0005508379.tif 000012
【図１２】
0005508379.tif 000013
【図１３】
0005508379.tif 000014
【図１４】
0005508379.tif 000015
【図１５】
0005508379.tif 000016
【図１６】
0005508379.tif 000017